(57)【要約】  ワイヤレス通信のための方法、システム、およびデバイスについて説明する。基地局は、シンボル期間のための2つのセットの基準信号リソース要素(RE)を選択し得、第1のセットの各REは、第2のセットのREに連続している。基地局はまた、制御シグナリングのためのリソース要素グループ(REG)を識別し得、各REGは、1つまたは複数のリソースブロック(RB)をカバーする。次いで、基地局は、REGの各々についての干渉共分散行列に基づき得る干渉消去を実行し得る。いくつかの場合には、基地局は、選択されたREGが近隣基地局の基準信号送信またはREGと部分的に重複しないことを保証するために、(直接またはコアネットワークを通して)近隣基地局と協調し得る。
2019504525.tif 000002
【特許請求の範囲】
【請求項１】
ワイヤレス通信の方法であって、
シンボル期間における第1のセットの1つまたは複数の基準信号リソース要素(RE)および第2のセットの1つまたは複数の基準信号REを識別するステップであって、前記第1のセットの1つまたは複数の基準信号REのうちの各基準信号REが、前記第2のセットの1つまたは複数の基準信号REのうちの基準信号REに連続している、ステップと、
前記シンボル期間における複数のREを備えるリソース要素グループ(REG)を識別するステップであって、前記REGの1つまたは複数のREが、前記第1のセットの1つまたは複数の基準信号REのうちの基準信号REあるいは前記第2のセットの1つまたは複数の基準信号REのうちの基準信号REに連続している、ステップと
を備える方法。
【請求項２】
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを送信するステップ
をさらに備える、請求項1に記載の方法。
【請求項３】
前記REGのセットのうちの1つまたは複数のREGについて干渉消去を実行するステップ
をさらに備える、請求項2に記載の方法。
【請求項４】
前記1つまたは複数のREGの各々について干渉共分散行列を計算するステップであって、前記干渉消去が、前記干渉共分散行列に少なくとも部分的に基づいて実行される、ステップ
をさらに備える、請求項3に記載の方法。
【請求項５】
近隣基地局が連続基準信号REに基づいて基準信号構成を使用すると決定するステップであって、前記干渉消去を実行することが、前記決定に少なくとも部分的に基づいて実行される、ステップ
をさらに備える、請求項3に記載の方法。
【請求項６】
REGパターンを前記近隣基地局またはコアネットワークエンティティと協調させるステップであって、前記REGパターンが、異なる基地局からの部分的に重複するREGを妨げ、前記干渉消去が、前記REGパターンに少なくとも部分的に基づいて実行される、ステップ
をさらに備える、請求項5に記載の方法。
【請求項７】
REGパターンを前記近隣基地局またはコアネットワークエンティティと協調させるステップであって、前記REGパターンが、2つの基地局が重複するREGを使用する可能性を最小限に抑え、前記干渉消去が、前記REGパターンに少なくとも部分的に基づいて実行される、ステップ
をさらに備える、請求項5に記載の方法。
【請求項８】
前記第1の基準信号が第1のアンテナポートに関連付けられ、前記第2の基準信号が第2のアンテナポートに関連付けられる、請求項2に記載の方法。
【請求項９】
前記制御メッセージが、空間周波数ブロックコード(SFBC)を使用して送信され、
前記SFBCが、前記制御メッセージのシンボルのセットを前記SFBCのREペアのセットに分散することに少なくとも部分的に基づく、
請求項2に記載の方法。
【請求項１０】
前記SFBCの各REペアが、前記第1のセットの1つまたは複数の基準信号REあるいは前記第2のセットの1つまたは複数の基準信号REのうちの基準信号REによって分離される、請求項9に記載の方法。
【請求項１１】
前記REペアのセットのうちの各REペアのREが連続している、請求項9に記載の方法。
【請求項１２】
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを受信するステップ
をさらに備える、請求項1に記載の方法。
【請求項１３】
前記第1のセットの1つまたは複数の基準信号RE、前記第2のセットの1つまたは複数の基準信号RE、および前記REGが、周波数トーンの1つまたは複数のリソースブロック(RB)を備える、請求項1に記載の方法。
【請求項１４】
組み合わされた前記第1のセットの1つまたは複数の基準信号REおよび前記第2のセットの1つまたは複数の基準信号REが、RBの前記周波数トーンの2分の1を備える、請求項13に記載の方法。
【請求項１５】
組み合わされた前記第1のセットの1つまたは複数の基準信号REおよび前記第2のセットの1つまたは複数の基準信号REが、RBの前記周波数トーンの3分の1を備える、請求項13に記載の方法。
【請求項１６】
前記シンボル期間が、送信時間間隔(TTI)の第1のシンボル期間を備える、請求項1に記載の方法。
【請求項１７】
ワイヤレス通信のための装置であって、
シンボル期間における第1のセットの1つまたは複数の基準信号リソース要素(RE)および第2のセットの1つまたは複数の基準信号REを識別するための手段であって、前記第1のセットの1つまたは複数の基準信号REのうちの各基準信号REが、前記第2のセットの1つまたは複数の基準信号REのうちの基準信号REに連続している、手段と、
前記シンボル期間における複数のREを備えるリソース要素グループ(REG)を識別するための手段であって、前記REGの1つまたは複数のREが、前記第1のセットの1つまたは複数の基準信号REのうちの基準信号REあるいは前記第2のセットの1つまたは複数の基準信号REのうちの基準信号REに連続している、手段と
を備える装置。
【請求項１８】
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを送信するための手段
をさらに備える、請求項17に記載の装置。
【請求項１９】
前記REGのセットのうちの1つまたは複数のREGについて干渉消去を実行するための手段
をさらに備える、請求項18に記載の装置。
【請求項２０】
前記1つまたは複数のREGの各々について干渉共分散行列を計算するための手段であって、前記干渉消去が、前記干渉共分散行列に少なくとも部分的に基づいて実行される、手段
をさらに備える、請求項19に記載の装置。
【請求項２１】
近隣基地局が連続基準信号REに基づいて基準信号構成を使用すると決定するための手段であって、前記干渉消去を実行することが、前記決定に少なくとも部分的に基づいて実行される、手段
をさらに備える、請求項19に記載の装置。
【請求項２２】
REGパターンを前記近隣基地局またはコアネットワークエンティティと協調させるための手段であって、前記REGパターンが、異なる基地局からの部分的に重複するREGを妨げ、前記干渉消去が、前記REGパターンに少なくとも部分的に基づいて実行される、手段
をさらに備える、請求項21に記載の装置。
【請求項２３】
REGパターンを前記近隣基地局またはコアネットワークエンティティと協調させるための手段であって、前記REGパターンが、2つの基地局が重複するREGを使用する可能性を最小限に抑え、前記干渉消去が、前記REGパターンに少なくとも部分的に基づいて実行される、手段
をさらに備える、請求項21に記載の装置。
【請求項２４】
前記第1の基準信号が第1のアンテナポートに関連付けられ、前記第2の基準信号が第2のアンテナポートに関連付けられる、請求項18に記載の装置。
【請求項２５】
前記制御メッセージが、空間周波数ブロックコード(SFBC)を使用して送信され、
前記SFBCが、前記制御メッセージのシンボルのセットを前記SFBCのREペアのセットに分散することに少なくとも部分的に基づく、
請求項18に記載の装置。
【請求項２６】
前記SFBCの各REペアが、前記第1のセットの1つまたは複数の基準信号REあるいは前記第2のセットの1つまたは複数の基準信号REのうちの基準信号REによって分離される、請求項25に記載の装置。
【請求項２７】
前記REペアのセットのうちの各REペアのREが連続している、請求項25に記載の装置。
【請求項２８】
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを受信するための手段
をさらに備える、請求項17に記載の装置。
【請求項２９】
前記第1のセットの1つまたは複数の基準信号RE、前記第2のセットの1つまたは複数の基準信号RE、および前記REGが、周波数トーンの1つまたは複数のリソースブロック(RB)を備える、請求項17に記載の装置。
【請求項３０】
組み合わされた前記第1のセットの1つまたは複数の基準信号REおよび前記第2のセットの1つまたは複数の基準信号REが、RBの前記周波数トーンの2分の1を備える、請求項29に記載の装置。
【請求項３１】
組み合わされた前記第1のセットの1つまたは複数の基準信号REおよび前記第2のセットの1つまたは複数の基準信号REが、RBの前記周波数トーンの3分の1を備える、請求項29に記載の装置。
【請求項３２】
前記シンボル期間が、送信時間間隔(TTI)の第1のシンボル期間を備える、請求項17に記載の装置。
【請求項３３】
ワイヤレス通信のための装置であって、
プロセッサと、
前記プロセッサと電子通信しているメモリと
を備え、
前記プロセッサおよび前記メモリが、
シンボル期間における第1のセットの1つまたは複数の基準信号リソース要素(RE)および第2のセットの1つまたは複数の基準信号REを識別することであって、前記第1のセットの1つまたは複数の基準信号REのうちの各基準信号REが、前記第2のセットの1つまたは複数の基準信号REのうちの基準信号REに連続している、識別することと、
前記シンボル期間における複数のREを備えるリソース要素グループ(REG)を識別することであって、前記REGの1つまたは複数のREが、前記第1のセットの1つまたは複数の基準信号REのうちの基準信号REあるいは前記第2のセットの1つまたは複数の基準信号REのうちの基準信号REに連続している、識別することと
を行うように構成される、装置。
【請求項３４】
前記プロセッサおよび前記メモリが、
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを送信する
ように構成される、請求項33に記載の装置。
【請求項３５】
前記プロセッサおよび前記メモリが、
前記REGのセットのうちの1つまたは複数のREGについて干渉消去を実行する
ように構成される、請求項34に記載の装置。
【請求項３６】
前記プロセッサおよび前記メモリが、
前記1つまたは複数のREGの各々について干渉共分散行列を計算するように構成され、前記干渉消去が、前記干渉共分散行列に少なくとも部分的に基づいて実行される、
請求項35に記載の装置。
【請求項３７】
前記プロセッサおよび前記メモリが、
近隣基地局が連続基準信号REに基づいて基準信号構成を使用すると決定するように構成され、前記干渉消去を実行することが、前記決定に少なくとも部分的に基づいて実行される、
請求項35に記載の装置。
【請求項３８】
前記プロセッサおよび前記メモリが、
REGパターンを前記近隣基地局またはコアネットワークエンティティと協調させるように構成され、前記REGパターンが、異なる基地局からの部分的に重複するREGを妨げ、前記干渉消去が、前記REGパターンに少なくとも部分的に基づいて実行される、
請求項37に記載の装置。
【請求項３９】
前記プロセッサおよび前記メモリが、
REGパターンを前記近隣基地局またはコアネットワークエンティティと協調させるように構成され、前記REGパターンが、2つの基地局が重複するREGを使用する可能性を最小限に抑え、前記干渉消去が、前記REGパターンに少なくとも部分的に基づいて実行される、
請求項37に記載の装置。
【請求項４０】
前記第1の基準信号が第1のアンテナポートに関連付けられ、前記第2の基準信号が第2のアンテナポートに関連付けられる、請求項34に記載の装置。
【請求項４１】
前記制御メッセージが、空間周波数ブロックコード(SFBC)を使用して送信され、
前記SFBCが、前記制御メッセージのシンボルのセットを前記SFBCのREペアのセットに分散することに少なくとも部分的に基づく、
請求項34に記載の装置。
【請求項４２】
前記SFBCの各REペアが、前記第1のセットの1つまたは複数の基準信号REあるいは前記第2のセットの1つまたは複数の基準信号REのうちの基準信号REによって分離される、請求項41に記載の装置。
【請求項４３】
前記REペアのセットのうちの各REペアのREが連続している、請求項41に記載の装置。
【請求項４４】
前記プロセッサおよび前記メモリが、
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを受信する
ように構成される、請求項33に記載の装置。
【請求項４５】
前記第1のセットの1つまたは複数の基準信号RE、前記第2のセットの1つまたは複数の基準信号RE、および前記REGが、周波数トーンの1つまたは複数のリソースブロック(RB)を備える、請求項33に記載の装置。
【請求項４６】
組み合わされた前記第1のセットの1つまたは複数の基準信号REおよび前記第2のセットの1つまたは複数の基準信号REが、RBの前記周波数トーンの2分の1を備える、請求項45に記載の装置。
【請求項４７】
組み合わされた前記第1のセットの1つまたは複数の基準信号REおよび前記第2のセットの1つまたは複数の基準信号REが、RBの前記周波数トーンの3分の1を備える、請求項45に記載の装置。
【請求項４８】
前記シンボル期間が、送信時間間隔(TTI)の第1のシンボル期間を備える、請求項33に記載の装置。
【請求項４９】
ワイヤレス通信のためのコードを記憶する非一時的コンピュータ可読媒体であって、前記コードが、
シンボル期間における第1のセットの1つまたは複数の基準信号リソース要素(RE)および第2のセットの1つまたは複数の基準信号REを識別することであって、前記第1のセットの1つまたは複数の基準信号REのうちの各基準信号REが、前記第2のセットの1つまたは複数の基準信号REのうちの基準信号REに連続している、識別することと、
前記シンボル期間における複数のREを備えるリソース要素グループ(REG)を識別することであって、前記REGの1つまたは複数のREが、前記第1のセットの1つまたは複数の基準信号REのうちの基準信号REあるいは前記第2のセットの1つまたは複数の基準信号REのうちの基準信号REに連続している、識別することと
を行うように実行可能な命令を備える、非一時的コンピュータ可読媒体。
【請求項５０】
前記命令が、
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを送信する
ように実行可能である、請求項49に記載の非一時的コンピュータ可読媒体。
【請求項５１】
前記命令が、
前記REGのセットのうちの1つまたは複数のREGについて干渉消去を実行する
ように実行可能である、請求項50に記載の非一時的コンピュータ可読媒体。
【請求項５２】
前記命令が、
前記1つまたは複数のREGの各々について干渉共分散行列を計算するように実行可能であり、前記干渉消去が、前記干渉共分散行列に少なくとも部分的に基づいて実行される、
請求項51に記載の非一時的コンピュータ可読媒体。
【請求項５３】
前記命令が、
近隣基地局が連続基準信号REに基づいて基準信号構成を使用すると決定するように実行可能であり、前記干渉消去を実行することが、前記決定に少なくとも部分的に基づいて実行される、
請求項51に記載の非一時的コンピュータ可読媒体。
【請求項５４】
前記命令が、
REGパターンを前記近隣基地局またはコアネットワークエンティティと協調させるように実行可能であり、前記REGパターンが、異なる基地局からの部分的に重複するREGを妨げ、前記干渉消去が、前記REGパターンに少なくとも部分的に基づいて実行される、
請求項53に記載の非一時的コンピュータ可読媒体。
【請求項５５】
前記命令が、
REGパターンを前記近隣基地局またはコアネットワークエンティティと協調させるように実行可能であり、前記REGパターンが、2つの基地局が重複するREGを使用する可能性を最小限に抑え、前記干渉消去が、前記REGパターンに少なくとも部分的に基づいて実行される、
請求項53に記載の非一時的コンピュータ可読媒体。
【請求項５６】
前記第1の基準信号が第1のアンテナポートに関連付けられ、前記第2の基準信号が第2のアンテナポートに関連付けられる、請求項50に記載の非一時的コンピュータ可読媒体。
【請求項５７】
前記制御メッセージが、空間周波数ブロックコード(SFBC)を使用して送信され、
前記SFBCが、前記制御メッセージのシンボルのセットを前記SFBCのREペアのセットに分散することに少なくとも部分的に基づく、
請求項50に記載の非一時的コンピュータ可読媒体。
【請求項５８】
前記SFBCの各REペアが、前記第1のセットの1つまたは複数の基準信号REあるいは前記第2のセットの1つまたは複数の基準信号REのうちの基準信号REによって分離される、請求項57に記載の非一時的コンピュータ可読媒体。
【請求項５９】
前記REペアのセットのうちの各REペアのREが連続している、請求項57に記載の非一時的コンピュータ可読媒体。
【請求項６０】
前記命令が、
前記第1のセットの1つまたは複数の基準信号REを使用する第1の基準信号、前記第2のセットの1つまたは複数の基準信号REを使用する第2の基準信号、および前記REGを含むREGのセットを使用する制御メッセージを受信する
ように実行可能である、請求項49に記載の非一時的コンピュータ可読媒体。
【請求項６１】
前記第1のセットの1つまたは複数の基準信号RE、前記第2のセットの1つまたは複数の基準信号RE、および前記REGが、周波数トーンの1つまたは複数のリソースブロック(RB)を備える、請求項49に記載の非一時的コンピュータ可読媒体。
【請求項６２】
組み合わされた前記第1のセットの1つまたは複数の基準信号REおよび前記第2のセットの1つまたは複数の基準信号REが、RBの前記周波数トーンの2分の1を備える、請求項61に記載の非一時的コンピュータ可読媒体。
【請求項６３】
組み合わされた前記第1のセットの1つまたは複数の基準信号REおよび前記第2のセットの1つまたは複数の基準信号REが、RBの前記周波数トーンの3分の1を備える、請求項61に記載の非一時的コンピュータ可読媒体。
【請求項６４】
前記シンボル期間が、送信時間間隔(TTI)の第1のシンボル期間を備える、請求項49に記載の非一時的コンピュータ可読媒体。
【発明の詳細な説明】
【技術分野】
【０００１】
相互参照
本特許出願は、各々が本出願の譲受人に譲渡された、2016年8月8日に出願された「Back-To-Back Reference Signals」と題する、Yangらによる米国特許出願第15/231,591号、および2015年11月17日に出願された「Back-To-Back Cell-Specific Reference Signals (CRS)」と題する、Yangらによる米国仮特許出願第62/256,555号の優先権を主張する。
【０００２】
以下は、一般にワイヤレス通信に関し、より詳細には、バックツーバック基準信号に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例としては、符号分割多元接続(CDMA)システム、時分割多元接続(TDMA)システム、周波数分割多元接続(FDMA)システム、および直交周波数分割多元接続(OFDMA)システムが含まれる。ワイヤレス多元接続通信システムは、場合によってはユーザ機器(UE)として知られていることがある、複数の通信デバイスのための通信を各々が同時にサポートする、いくつかの基地局を含み得る。
【０００４】
いくつかの場合には、基地局は、チャネル推定を助けるために基準信号をUEに送信し得る。基準信号は、制御チャネルシグナリングに使用されるリソース内に埋め込まれたリソース要素(RE)を使用して送信され得る。いくつかの場合には、近隣基地局によって基準信号に使用されるREは、制御シグナリングに使用されるREと重複するか、または部分的に重複することがある。このことは、基地局とUEとの間の干渉消去の効果を減少させることがあり、そのことが、信号劣化およびスループット低下をもたらすことがある。
【発明の概要】
【課題を解決するための手段】
【０００５】
本開示の一例では、基地局は、シンボル期間のための2つのセットの基準信号REを選択し得る。第1のセットのうちの各REは、第2のセットのうちのREに連続していることがある。基地局はまた、制御シグナリングのためのリソース要素グループ(REG)を識別し得る。各REGは、1つまたは複数のリソースブロック(RB)をカバーし得る。次いで、基地局は、REGの各々についての干渉共分散行列に基づき得る干渉消去を実行し得る。いくつかの場合には、基地局は、選択されたREGが近隣基地局の基準信号送信またはREGと部分的に重複しないことを保証するために、(直接またはコアネットワークを通して)近隣基地局と協調し得る。
【０００６】
ワイヤレス通信の方法について説明する。方法は、シンボル期間における第1のセットの1つまたは複数の基準信号REおよび第2のセットの1つまたは複数の基準信号REを識別するステップであって、第1のセットの1つまたは複数の基準信号REのうちの各基準信号REが、第2のセットの1つまたは複数の基準信号REのうちの基準信号REに連続している、ステップと、シンボル期間における複数のREを含むREGを識別するステップであって、REGの1つまたは複数のREが、第1のセットの1つまたは複数の基準信号REのうちの基準信号REあるいは第2のセットの1つまたは複数の基準信号REのうちの基準信号REに連続している、ステップとを含み得る。
【０００７】
ワイヤレス通信のための装置について説明する。装置は、シンボル期間における第1のセットの1つまたは複数の基準信号REおよび第2のセットの1つまたは複数の基準信号REを識別するための手段であって、第1のセットの1つまたは複数の基準信号REのうちの各基準信号REが、第2のセットの1つまたは複数の基準信号REのうちの基準信号REに連続している、手段と、シンボル期間における複数のREを含むREGを識別するための手段であって、REGの1つまたは複数のREが、第1のセットの1つまたは複数の基準信号REのうちの基準信号REあるいは第2のセットの1つまたは複数の基準信号REのうちの基準信号REに連続している、手段とを含み得る。
【０００８】
ワイヤレス通信のための別の装置について説明する。装置は、プロセッサと、プロセッサと電子通信しているメモリと、メモリに記憶された命令とを含み得る。命令は、シンボル期間における第1のセットの1つまたは複数の基準信号REおよび第2のセットの1つまたは複数の基準信号REを識別することであって、第1のセットの1つまたは複数の基準信号REのうちの各基準信号REが、第2のセットの1つまたは複数の基準信号REのうちの基準信号REに連続している、識別することと、シンボル期間における複数のREを含むREGを識別することであって、REGの1つまたは複数のREが、第1のセットの1つまたは複数の基準信号REのうちの基準信号REあるいは第2のセットの1つまたは複数の基準信号REのうちの基準信号REに連続している、識別することとをプロセッサに行わせるように動作可能であり得る。
【０００９】
ワイヤレス通信のための非一時的コンピュータ可読媒体について説明する。非一時的コンピュータ可読媒体は、シンボル期間における第1のセットの1つまたは複数の基準信号REおよび第2のセットの1つまたは複数の基準信号REを識別することであって、第1のセットの1つまたは複数の基準信号REのうちの各基準信号REが、第2のセットの1つまたは複数の基準信号REのうちの基準信号REに連続している、識別することと、シンボル期間における複数のREを含むREGを識別することであって、REGの1つまたは複数のREが、第1のセットの1つまたは複数の基準信号REのうちの基準信号REあるいは第2のセットの1つまたは複数の基準信号REのうちの基準信号REに連続している、識別することとをプロセッサに行わせるように動作可能な命令を含み得る。
【００１０】
上記で説明した方法、装置、および非一時的コンピュータ可読媒体のいくつかの例は、第1のセットの1つまたは複数の基準信号REを使用する第1の基準信号、第2のセットの1つまたは複数の基準信号REを使用する第2の基準信号、およびREGを含むREGのセットを使用する制御メッセージを送信するためのプロセス、特徴、手段、または命令をさらに含み得る。上記で説明した方法、装置、および非一時的コンピュータ可読媒体のいくつかの例は、REGのセットのうちの1つまたは複数のREGについて干渉消去を実行するためのプロセス、特徴、手段、または命令をさらに含み得る。
【００１１】
上記で説明した方法、装置、および非一時的コンピュータ可読媒体のいくつかの例は、1つまたは複数のREGの各々について干渉共分散行列を計算するためのプロセス、特徴、手段、または命令をさらに含み得、干渉消去は、干渉共分散行列に少なくとも部分的に基づいて実行され得る。上記で説明した方法、装置、および非一時的コンピュータ可読媒体のいくつかの例は、近隣基地局が連続基準信号REに基づいて基準信号構成を使用すると決定するためのプロセス、特徴、手段、または命令をさらに含み得、干渉消去を実行することは、決定に少なくとも部分的に基づいて実行され得る。
【００１２】
上記で説明した方法、装置、および非一時的コンピュータ可読媒体のいくつかの例は、REGパターンを近隣基地局またはコアネットワークエンティティと協調させるためのプロセス、特徴、手段、または命令をさらに含み得、REGパターンは、異なる基地局からの部分的に重複するREGを阻止し、干渉消去は、REGパターンに少なくとも部分的に基づいて実行され得る。
【００１３】
上記で説明した方法、装置、および非一時的コンピュータ可読媒体のいくつかの例は、REGパターンを近隣基地局またはコアネットワークエンティティと協調させるためのプロセス、特徴、手段、または命令をさらに含み得、REGパターンは、2つの基地局が重複するREGを使用する可能性を最小限に抑え、干渉消去は、REGパターンに少なくとも部分的に基づいて実行され得る。上記で説明した方法、装置、および非一時的コンピュータ可読媒体のいくつかの例では、第1の基準信号は第1のアンテナポートに関連付けられ得、第2の基準信号は第2のアンテナポートに関連付けられ得る。
【００１４】
上記で説明した方法、装置、および非一時的コンピュータ可読媒体のいくつかの例では、制御メッセージは、空間周波数ブロックコード(SFBC)を使用して送信され得る。上記で説明した方法、装置、および非一時的コンピュータ可読媒体のいくつかの例では、SFBCは、制御メッセージのシンボルのセットをSFBCのREペアのセットに分散することに少なくとも部分的に基づき得る。上記で説明した方法、装置、および非一時的コンピュータ可読媒体のいくつかの例では、SFBCの各REペアは、第1のセットの1つまたは複数の基準信号REあるいは第2のセットの1つまたは複数の基準信号REのうちの基準信号REによって分離され得る。
【００１５】
上記で説明した方法、装置、および非一時的コンピュータ可読媒体のいくつかの例では、REペアのセットのうちの各REペアのREは連続していることがある。上記で説明した方法、装置、および非一時的コンピュータ可読媒体のいくつかの例は、第1のセットの1つまたは複数の基準信号REを使用する第1の基準信号、第2のセットの1つまたは複数の基準信号REを使用する第2の基準信号、およびREGを含むREGのセットを使用する制御メッセージを受信するためのプロセス、特徴、手段、または命令をさらに含み得る。
【００１６】
上記で説明した方法、装置、および非一時的コンピュータ可読媒体のいくつかの例では、第1のセットの1つまたは複数の基準信号RE、第2のセットの1つまたは複数の基準信号RE、およびREGは、周波数トーンの1つまたは複数のRBを含む。上記で説明した方法、装置、および非一時的コンピュータ可読媒体のいくつかの例では、組み合わされた第1のセットの1つまたは複数の基準信号REおよび第2のセットの1つまたは複数の基準信号REは、RBの周波数トーンの2分の1を備える。
【００１７】
上記で説明した方法、装置、および非一時的コンピュータ可読媒体のいくつかの例では、組み合わされた第1のセットの1つまたは複数の基準信号REおよび第2のセットの1つまたは複数の基準信号REは、RBの周波数トーンの3分の1を備える。上記で説明した方法、装置、および非一時的コンピュータ可読媒体のいくつかの例では、シンボル期間は、送信時間間隔(TTI)の第1のシンボル期間を含む。
【図面の簡単な説明】
【００１８】
【図１】本開示の1つまたは複数の態様による、バックツーバック基準信号をサポートするワイヤレス通信システムの一例を示す図である。
【図２】本開示の1つまたは複数の態様による、バックツーバック基準信号をサポートするワイヤレス通信システムの一例を示す図である。
【図３Ａ】本開示の1つまたは複数の態様による、バックツーバック基準信号をサポートするシステムにおける制御チャネル構成の一例を示す図である。
【図３Ｂ】本開示の1つまたは複数の態様による、バックツーバック基準信号をサポートするシステムにおける制御チャネル構成の一例を示す図である。
【図４】本開示の1つまたは複数の態様による、バックツーバック基準信号をサポートするシステムにおけるプロセスフローの一例を示す図である。
【図５】本開示の1つまたは複数の態様による、バックツーバック基準信号をサポートするワイヤレスデバイスのブロック図である。
【図６】本開示の1つまたは複数の態様による、バックツーバック基準信号をサポートするワイヤレスデバイスのブロック図である。
【図７】本開示の1つまたは複数の態様による、バックツーバック基準信号をサポートするワイヤレスデバイスのブロック図である。
【図８】本開示の1つまたは複数の態様による、バックツーバック基準信号をサポートするUEを含むシステムのブロック図である。
【図９】本開示の1つまたは複数の態様による、バックツーバック基準信号をサポートする基地局を含むシステムのブロック図である。
【図１０】本開示の1つまたは複数の態様による、バックツーバック基準信号のための方法を示す図である。
【図１１】本開示の1つまたは複数の態様による、バックツーバック基準信号のための方法を示す図である。
【図１２】本開示の1つまたは複数の態様による、バックツーバック基準信号のための方法を示す図である。
【図１３】本開示の1つまたは複数の態様による、バックツーバック基準信号のための方法を示す図である。
【図１４】本開示の1つまたは複数の態様による、バックツーバック基準信号のための方法を示す図である。
【発明を実施するための形態】
【００１９】
本開示の一例では、基地局は、UEと直接通信しながら、制御メッセージに対して干渉消去を実行し得る。制御メッセージは、複数のREGを含んでいることがあり、REGは、送信の制御領域におけるリソースを割り当てるための基本リソース単位である。チャネル利得を識別するのを助け、UEが制御メッセージをコヒーレントに復号することを可能にするために、REGには基準信号(たとえば、セル固有基準信号(CRS))などのパイロット信号が点在していることがある。いくつかの場合には、REGはまた、アンテナポートおよびサブキャリア周波数の間隔に基づき得る、送信ダイバーシティ(たとえば、SFBC)に使用されるコーディング方式を含み得る。
【００２０】
UEは、比較的小さい制御領域内であっても、基地局と通信するときにデータと基準信号干渉の混合に遭遇することがある。加えて、近隣セルからの部分的に重複する制御リソース要素(たとえば、第1のシンボルの間の部分的に重複するREG)は、UEにおける非効率的な干渉測定を引き起こす可能性がある。したがって、異なるセルにわたる制御リソースの不整合は、UEにおける効果的な干渉測定を妨げることがあり、このことは、セル間制御チャネル干渉を消去する際の非効率性につながることがある。セル間干渉は、SFBC直交性を損なうこともある。
【００２１】
しかしながら、制御チャネルは、ロバストなセル間制御チャネル干渉消去機能および制御チャネルエラーレート低下を可能にするように構成され得る。いくつかの制御チャネル構成はさらに、基地局によるセル間制御チャネル協調に関連付けられた複雑性の低下を可能にし得る。たとえば、制御チャネルリソースグラニュラリティはRBレベルに構成され得、異なる送信アンテナポートのための基準信号トーンはバックツーバック構成に挿入され得る。
【００２２】
本開示の態様について、最初にワイヤレス通信システムの文脈において説明する。連続するサブキャリアにおいて送信される基準信号を使用する制御チャネル構成のさらなる例が提供される。本開示の態様について、バックツーバック基準信号に関する装置図、システム図、およびフローチャートによってさらに示し、それらを参照しながら説明する。
【００２３】
図1は、本開示の1つまたは複数の態様によるワイヤレス通信システム100の一例を示す。ワイヤレス通信システム100は、ネットワークアクセスデバイス105、UE115、およびコアネットワーク130を含み得る。ワイヤレス通信システム100は、制御情報送信の効率を改善するために、RB内の統合された制御およびデータをサポートし得る。
【００２４】
コアネットワーク130は、ユーザ認証、アクセス許可、トラッキング、インターネットプロトコル(IP)接続性、および他のアクセス機能、ルーティング機能、またはモビリティ機能を提供し得る。ネットワークアクセスデバイス105(たとえば、eNB105-aまたはアクセスノードコントローラ(ANC)105-b)のうちの少なくともいくつかは、バックホールリンク132(たとえば、S1、S2など)を通してコアネットワーク130とインターフェースし得、UE115との通信のための無線構成およびスケジューリングを実行し得る。様々な例では、ANC105-bは、ワイヤード通信リンクまたはワイヤレス通信リンクであり得るバックホールリンク134(たとえば、X1、X2など)を介して、直接または間接的に(たとえば、コアネットワーク130を通して)のいずれかで、互いと通信し得る。各ANC105-bはまた、いくつかのスマート無線ヘッド(無線ヘッド)105-cを通していくつかのUE115と通信し得る。ワイヤレス通信システム100の代替構成では、ANC105-bの機能は、無線ヘッド105-cによって提供されるか、またはeNB105-aの無線ヘッド105-cにわたって分散され得る。ワイヤレス通信システム100の別の代替構成では、無線ヘッド105-cは基地局と置き換えられることがあり、ANC105-bは基地局コントローラ(またはコアネットワーク130へのリンク)と置き換えられることがある。
【００２５】
ANC105-bは、1つまたは複数の無線ヘッド105-cを介してUE115とワイヤレス通信し得、各無線ヘッド105-cは、1つまたは複数のアンテナを有する。無線ヘッド105-cの各々は、それぞれの地理的カバレージエリア110に通信カバレージを提供し得る。無線ヘッド105-cのための地理的カバレージエリア110は、カバレージエリアの一部分のみを構成するセクタ(図示せず)に分割され得る。いくつかの例では、ネットワークアクセスデバイス105は、基地トランシーバ局、無線基地局、アクセスポイント、無線トランシーバ、ノードB、eノードB(eNB)、ホームノードB、ホームeノードBなどの代替ネットワークアクセスデバイスと置き換えられることがある。ワイヤレス通信システム100は、異なるタイプ(たとえば、マクロセルおよび/またはスモールセルネットワークアクセスデバイス)の無線ヘッド105-c(または基地局105または他のネットワークアクセスデバイス)を含み得る。無線ヘッド105-cまたは他のネットワークアクセスデバイスの地理学的カバレージエリア110は、重複する場合がある。いくつかの例では、異なるeNB105-aは、異なる無線アクセス技術に関連付けられ得る。
【００２６】
UE115は、ワイヤレス通信システム100全体にわたって分散され得、各UE115は、固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、IoEデバイスなどであり得る。UE115は、マクロeNB、スモールセルeNB、中継基地局などを含む、様々なタイプのeNB105-a、無線ヘッド105-c、基地局105、アクセスポイント、または他のネットワークアクセスデバイスと通信することが可能であり得る。UEはまた、(たとえば、ピアツーピア(P2P)プロトコルを使用して)他のUE115と直接通信することが可能であり得る。
【００２７】
いくつかの例では、ワイヤレス通信システム100は、5Gネットワークを含み得る。他の例では、ワイヤレス通信システム100は、LTE/LTE-Aネットワークを含み得る。ワイヤレス通信システム100は、いくつかの場合には、異なるタイプのeNBが様々な地理的領域にカバレージを提供する、異種ネットワークであり得る。たとえば、各eNB105-aまたは無線ヘッド105-cは、マクロセル、スモールセル、および/または他のタイプのセルに通信カバレージを提供し得る。「セル」という用語は、文脈に応じて、基地局、無線ヘッド、基地局もしくは無線ヘッドに関連付けられたキャリアもしくはコンポーネントキャリア、またはキャリアもしくは基地局のカバレージエリア(たとえば、セクタなど)を表すために使用され得る3GPP用語である。
【００２８】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100中に示されている通信リンク125は、UE115から基地局105へのアップリンク(UL)送信、または基地局105からUE115へのダウンリンク(DL)送信を含み得る。UE115は、ワイヤレス通信システム100全体にわたって分散され得、各UE115は、固定またはモバイルであり得る。UE115は、移動局、加入者局、リモートユニット、ワイヤレスデバイス、アクセス端末(AT)、ハンドセット、ユーザエージェント、クライアント、または同様の用語で呼ばれることもある。UE115はまた、セルラーフォン、ワイヤレスモデム、ハンドヘルドデバイス、パーソナルコンピュータ、タブレット、パーソナル電子デバイス、マシンタイプ通信(MTC)デバイスなどであり得る。
【００２９】
基地局105は、シンボル期間における第1のセットの1つまたは複数の基準信号REおよび第2のセットの1つまたは複数の基準信号REを識別し得る基地局制御チャネル通信マネージャ101を含み得、第1のセットの各基準信号REは、第2のセットの基準信号REに連続している。基地局制御チャネル通信マネージャ101は、シンボル期間におけるREのセットを含む1つまたは複数のREGを識別し得、REGの1つまたは複数のREは、第1のセットの基準信号REのうちの基準信号REまたは第2のセットの基準信号REのうちの基準信号REに連続している。基地局制御チャネル通信マネージャ101またはUE制御チャネル通信マネージャ102は、図5を参照しながら説明する制御チャネル通信マネージャ510の一例であり得る。
【００３０】
フレーム構造は、物理(PHY)リソースを編成するために使用され得る。フレームは、10個の等しいサイズのサブフレームにさらに分割され得る10ms間隔であり得る。各サブフレームは、2つの連続するタイムスロットを含み得る。各スロットは、6つまたは7つのOFDMAシンボル期間を含み得る。REは、1つのシンボル期間および1つのサブキャリア(すなわち、15KHz周波数範囲)からなる。RBは、周波数領域中に12個の連続するサブキャリアを含んでおり、各直交周波数分割多重(OFDM)シンボル中のノーマルサイクリックプレフィックス(CP)の場合、時間領域(1スロット)中に7個の連続するOFDMシンボル、すなわち84個のREを含んでいることがある。
【００３１】
いくつかのREは制御領域REとして指定される場合があり、REGにグループ化される場合がある。REGは、制御メッセージのためのスケジューリングの最小単位であり得る。複数のREGが組み合わされて、制御チャネル要素(CCE)を形成する場合がある。いくつかのワイヤレスシステムでは、REGは4つのREを含み得る。他の場合には、REGは、基準信号の送信に使用されない1つまたは複数のRB中の各REをカバーし得る(すなわち、RBレベルのREGグラニュラリティ)。
【００３２】
基地局105は、チャネル推定およびコヒーレント復調においてUE115を助けるために、基準信号(たとえば、CRS)などの周期的なパイロットシンボルを挿入し得、いくつかの基準信号は、504個の異なるセル識別情報のうちの1つを含み得る。基準信号は、4位相シフトキーイング(QPSK)を使用して変調され、雑音および干渉に耐えられるように電力ブーストされ(たとえば、周囲のデータ要素よりも6dB高く送信され)得る。基準信号は、受信UE115のアンテナポートまたはレイヤの数(最高4つ)に基づいて、各RBにおける4〜16個のREに埋め込まれ得る。いくつかの場合には、異なるアンテナポートのための基準信号は、基地局105間の干渉消去および干渉消去協調を助けるために、連続REにおいて送信され得る。
【００３３】
いくつかの場合には、ワイヤレス通信システム100は、1つまたは複数の拡張コンポーネントキャリア(eCC)を利用し得る。eCCは、フレキシブル帯域幅、異なる送信時間間隔(TTI)、および変更された制御チャネル構成を含む、1つまたは複数の特徴によって特徴づけられ得る。いくつかの場合には、eCCは、キャリアアグリゲーション(CA)構成またはデュアル接続性構成(たとえば、複数のサービングセルが準最適なバックホールリンクを有するとき)に関連付けられ得る。eCCはまた、(たとえば、2つ以上の事業者がスペクトルを使用することを認可された場合)無認可スペクトルまたは共有スペクトルにおいて使用するために構成され得る。フレキシブル帯域幅によって特徴づけられるeCCは、帯域幅全体を監視することが可能ではないか、または(たとえば、電力を節約するために)限られた帯域幅を使用することを好む場合があるUE115によって利用され得る1つまたは複数のセグメントを含み得る。
【００３４】
いくつかの場合には、eCCは、他のコンポーネントキャリア(CC)のTTIと比較して縮小されたまたは可変のシンボル持続時間の使用を含み得る、他のCCとは異なるTTI長を利用し得る。シンボル持続時間は、いくつかの場合には同じままであり得るが、各シンボルは別個のTTIを表し得る。いくつかの例では、eCCは、異なるTTI長を使用する送信をサポートし得る。たとえば、いくつかのCCは一様な1ms TTIを使用し得るが、あるeCCは単一のシンボル、シンボルのペア、またはスロットのTTI長を使用し得る。いくつかの場合には、より短いシンボル持続時間は、増加したサブキャリア間隔にも関連付けられ得る。縮小されたTTI長と併せて、eCCは動的な時分割複信(TDD)動作を利用し得る(すなわち、eCCは、動的な条件に従って短いバーストのためにDL動作からUL動作に切り替え得る)。
【００３５】
フレキシブル帯域幅および可変TTIは、変更された制御チャネル構成に関連付けられ得る(たとえば、eCCは、DL制御情報のために拡張物理ダウンリンク制御チャネル(ePDCCH)を利用し得る)。たとえば、eCCの1つまたは複数の制御チャネルは、フレキシブル帯域幅の使用に適応するために周波数分割多重(FDM)スケジューリングを利用し得る。他の制御チャネル変更は、(たとえば、発展型マルチメディアブロードキャストマルチキャストサービス(eMBMS)スケジューリングのための、または可変長ULおよびDLバーストの長さを示すための)追加の制御チャネル、または異なる間隔で送信される制御チャネルの使用を含む。eCCは、変更されたまたは追加のハイブリッド自動再送要求(HARQ)関連の制御情報も含み得る。
【００３６】
したがって、基地局105は、シンボル期間のための2つのセットの基準信号REを選択し得、第1のセットの各REは、第2のセットのREに連続している。基地局はまた、制御シグナリングのためのREGを識別し得、各REGは、1つまたは複数のRBをカバーする。次いで、基地局は、REGの各々についての干渉共分散行列に基づき得る干渉消去を実行し得る。いくつかの場合には、基地局は、選択されたREGが近隣基地局の基準信号送信またはREGと部分的に重複しないことを保証するために、(直接またはコアネットワークを通して)近隣基地局と協調し得る。
【００３７】
図2は、本開示の1つまたは複数の態様による、バックツーバック基準信号をサポートするワイヤレス通信システム200の一例を示す。ワイヤレス通信システム200は、図1を参照しながら説明した対応するデバイスの例であり得る、基地局105-aおよびUE115-aを含み得る。基地局105-aおよびUE115-aは、ワイヤレスリンク205を介して通信し得る。ワイヤレス通信システム200は、制御チャネル干渉消去を改善するために、バックツーバック基準信号およびRBレベルのREGをサポートし得る。
【００３８】
基地局105-aおよびUE115-aは、それぞれ、基地局制御チャネル通信マネージャ201およびUE制御チャネル通信マネージャ202を含み得、これらは、シンボル期間における第1のセットの1つまたは複数の基準信号REおよび第2のセットの1つまたは複数の基準信号REを識別し(第1のセットの各基準信号REは、第2のセットの基準信号REに連続している)、シンボル期間におけるREのセットを含む1つまたは複数のREGを識別する(REGの1つまたは複数のREは、第1のセットの基準信号REまたは第2のセットの基準信号REに連続している)ために使用され得る。基地局制御チャネル通信マネージャ201またはUE制御チャネル通信マネージャ202は、図5を参照しながら説明する制御チャネル通信マネージャ510の一例であり得る。
【００３９】
ワイヤレス通信システム200では、基地局105-aは、UE115-aと通信しながら、制御メッセージに対して干渉消去を実行し得る。制御メッセージは、複数のREGを含んでいることがあり、REGは、制御領域におけるリソースの割当てのための基本単位として働き得る。制御領域RBは、チャネル利得を識別し、UE115-aが制御メッセージをコヒーレントに復号することを可能にするために、CRSなどのパイロット信号または基準信号を含んでいることもある。いくつかの場合には、REGはまた、アンテナポートおよびサブキャリア周波数の間隔に基づき得る、送信ダイバーシティ(たとえば、SFBC)に使用されるコーディング方式に関連付けられ得る。UEによって実行される干渉測定は、各REG内で受けた干渉の平均に基づき得る。
【００４０】
UE115-aは、比較的小さい制御領域内であっても、基地局105-aと通信するときにデータと基準信号干渉の混合に遭遇することがある。加えて、近隣セルにおける基地局105(たとえば、基地局105-bおよび/または105-c)からの部分的に重複する制御送信は、UE115-aにおける不正確な干渉測定をもたらし得る。すなわち、異なるセルにわたる制御リソースの不整合は、UE115-aによる効果的な干渉測定を妨げることがあり、このことは、セル間制御チャネル干渉を消去する際の非効率性につながることがある。いくつかの場合には、近隣セルの基地局105は、干渉を低減しようとして複雑なセル間制御協調プロセスを試みることがある。バックツーバック基準信号RE(たとえば、第1のセットの基準信号REおよび第2のセットの基準信号REからのREが連続している場合)およびRBレベルのREGグラニュラリティを使用することは、この協調を簡略化し得る。
【００４１】
一例として、UE115-aが基地局105-aから受信されたCCEを復号しようと試みているとき、第2の基地局(たとえば、基地局105-b)からのパイロットトーンがCCEに干渉することがある(すなわち、パイロットによる制御への干渉)。追加または代替として、後続のCCEの間に、第2の基地局からの別のCCEによって干渉が引き起こされることがある(すなわち、制御による制御への干渉)。いくつかの場合には、これらの異なるタイプの干渉は、第3の基地局(たとえば、基地局105-c)からの追加の制御送信がUE115-aに干渉するときなどに、単一のSFBCトーンペア内で起こり得る。REGの部分的な重複は、不正確な干渉共分散行列計算をもたらすこともある。たとえば、不十分な干渉平均化が生じ得る。このことは、誤った干渉計算をもたらすことがある。
【００４２】
損なわれたSFBC直交性は、セル間干渉から生じることもある。すなわち、制御チャネルにおける各SFBCトーンペアは、パイロットトーンによって分離されることがあり、トーン間隔が大きい場合、SFBCトーンペアの分離は、異なるチャネルからの干渉につながることがある。結果として、SFBCストリームの直交性が損なわれることがあり、今度は、このことが信号対干渉雑音比(SINR)を低減することがあり、不正確な干渉共分散行列計算につながることがある。
【００４３】
したがって、制御チャネルは、ロバストなセル間制御チャネル干渉消去機能および制御チャネルエラーレート低下を可能にするように構成され得る。いくつかの制御チャネル構成はさらに、基地局によるセル間制御チャネル協調に関連付けられた複雑性の低下を可能にし得る。たとえば、制御チャネルリソースグラニュラリティはRBレベルに構成され得、異なる送信アンテナポートからの基準信号トーンは連続するサブキャリアに挿入され得る。
【００４４】
いくつかの場合には、制御チャネル構成は、SFBCトーンペア内のパイロットによる制御への干渉と制御による制御への干渉の混合を防止するためにRBレベルのREGおよび連続する基準信号(たとえば、バックツーバック基準信号)を使用し得、このことは、改善された干渉共分散行列計算の精度を可能にし得る。加えて、RBレベルのREGおよびバックツーバック基準信号制御チャネル構成は、比較的粗いREGグラニュラリティにより、改善された干渉平均化を可能にし得、改善された基地局制御協調をさらに可能にし得る。すなわち、干渉協調は、比較的粗いREGグラニュラリティにより、より効率的に制御され得る。
【００４５】
いくつかの場合には、SFBCペアごとに、2つのトーンがパイロットトーンによって分離されないことがあり、このことは、改善された干渉共分散行列の精度を可能にし得る。REGベースの干渉共分散行列を用いる場合などのいくつかの例では、REGの粗いグラニュラリティは、改善された干渉平均化につながることがあり、より多くのSFBCペアが単一のREGに含まれる。1/2パイロット密度を用いる場合などのいくつかの場合には、各REGは、近隣セルからのREG全体、または近隣セルからのパイロットのいずれかのみに干渉することがある。
【００４６】
図3Aおよび図3Bは、本開示の1つまたは複数の態様による、バックツーバック基準信号をサポートするシステムにおける制御チャネル構成301および302の例を示す。いくつかの場合には、制御チャネル構成301および302は、図1〜図2を参照しながら説明したUE115または基地局105によって実行される技法の態様を表し得る。制御チャネル構成301は、1/3パイロット密度を使用するバックツーバック基準信号送信の一例であり得、パイロット信号に使用される合計リソースは、RBのトーンの3分の1を含む。
【００４７】
UE115と通信している基地局105は、制御領域305-aにおいて制御メッセージを送信し得、制御領域305-aは、いくつかのシンボル期間310にわたることがあり(たとえば、シンボル期間310-aは、TTIの第1のシンボル期間310であり得る)、REG320にグループ化されるいくつかのREペア315を含み得る。制御領域305-aの各RBは、連続するサブキャリア(たとえば、バックツーバック基準信号)に位置するパイロット送信(たとえば、ポート1基準信号325-aおよびポート2基準信号330-a)用に指定されたリソース要素も含み得、REペア315には、ポート1基準信号325およびポート2基準信号330が点在していることがある。REG320-aは、1つのRBのリソースにわたることが示されているが、複数のRBにわたる場合もある。
【００４８】
バックツーバック基準信号構成は、基地局105間のパイロットによる制御への干渉と制御による制御への干渉の混合を防止し得る。たとえば、1つまたは複数の近隣基地局105は、制御領域305-aにおける送信に干渉し得る制御領域305-bおよび/または制御領域305-cにおいて基準信号および制御メッセージを送信し得る。しかしながら、制御領域305-bおよび制御領域305-cは、RBレベルのREGおよびバックツーバック基準信号を使用するように構成される場合もある。結果として、REペア315-aなどの単一のREペア315は、それぞれの制御領域305の基準信号または制御メッセージのいずれかからの干渉のみに遭遇することがある。すなわち、REペア315は、近隣基地局からの基準信号および制御メッセージからの部分的に重複する干渉を有しないことがある。
【００４９】
制御チャネル構成302は、1/2パイロット密度を用いて送信される制御メッセージを表し得、合計パイロットトーンは、RBの2分の1を備える。UE115と通信している基地局105は、(TTIの第1のシンボル期間310としてのシンボル期間310-bを含む)TTIのいくつかのシンボル期間310にわたる制御領域305-dにおいて制御情報を送信し得る。
【００５０】
制御領域305-dは、REG320-bにグループ化され得る複数のREペア315-bを含み得る。REG320-bは、(たとえば、RBレベルのREGグラニュラリティのために)少なくとも1つのRBにわたることがあり、複数のパイロット送信(たとえば、ポート1基準信号325-bおよびポート2基準信号330-b)が点在していることがある。ポート1基準信号325およびポート2基準信号330のパイロット送信は、RBの2つのREのうちの1つに含まれ得、連続基準信号ペアにグループ化され得る。
【００５１】
いくつかの例では、制御チャネル構成302に示す1/2パイロット密度に基づいて、各REペア315は、近隣基地局105によって送信されたそれぞれの制御領域からの(たとえば、制御領域305-eおよび/または制御領域305-fからの)別のREペアまたは別の基準信号のいずれかのみに干渉し得る。
【００５２】
図4は、本開示の1つまたは複数の態様による、バックツーバック基準信号をサポートするシステムにおけるプロセスフロー400の一例を示す。プロセスフロー400は、図1〜図2を参照しながら説明した対応するデバイスの例であり得る、基地局105-aおよびUE115-aを含み得る。
【００５３】
405において、基地局105-dは、シンボル期間における第1のセットの1つまたは複数の基準信号REおよび第2のセットの1つまたは複数の基準信号REを識別し得、第1のセットの各基準信号REは、第2のセットの基準信号REに連続している。いくつかの例では、第1のセットの1つまたは複数の基準信号REおよび第2のセットの1つまたは複数の基準信号REの組合せは、RBの周波数トーンの2分の1または3分の1を備える。いくつかの場合には、シンボル期間はTTIの第1のシンボル期間を含む。
【００５４】
410において、基地局105-dは、シンボル期間における複数のREを含むREGを識別し得、REGの1つまたは複数のREは、第1のセットの基準信号REまたは第2のセットの基準信号REに連続している。いくつかの例では、第1のセットの1つまたは複数の基準信号RE、第2のセットの1つまたは複数の基準信号RE、およびREGは、周波数トーンの1つまたは複数のRBを備える。
【００５５】
415において、基地局105-dは、REGのセットのうちの1つまたは複数のREGについて干渉消去を実行し得る。たとえば、基地局105-dは、1つまたは複数のREGの各々について干渉共分散行列を計算し、干渉共分散行列に基づいて干渉消去を実行し得る。いくつかの場合には、基地局105-dは、近隣基地局105が連続基準信号REに基づいて基準信号構成を使用すると決定し、近隣基地局の基準信号構成に基づいて干渉消去を実行し得る。いくつかの例では、基地局105-dは、REGパターンを近隣基地局105またはコアネットワークエンティティと協調させ得、REGパターンは、異なる基地局105からの部分的に重複するREGを妨げ、干渉消去は、REGパターンに基づいて実行され得る。いくつかの場合には、協調したREGパターンは、2つの基地局が重複するREGを使用する可能性を最小限に抑え得る。
【００５６】
420において、基地局105-dは、第1のセットの1つまたは複数の基準信号REを使用する第1の基準信号、第2のセットの1つまたは複数の基準信号REを使用する第2の基準信号、およびREGを含むREGのセットを使用する制御メッセージを送信し得る。いくつかの例では、第1の基準信号は第1のアンテナポートに関連付けられ、第2の基準信号は第2のアンテナポートに関連付けられる。いくつかの場合には、制御メッセージは、SFBCを使用して送信され、SFBCは、制御メッセージのシンボルのセットをSFBCのREペアのセットに分散することに基づく。いくつかの場合には、REペアのセットのうちの各REペアのREは連続している。
【００５７】
425において、UE115-bは、第1のセットの1つまたは複数の基準信号REおよび第2のセットの1つまたは複数の基準信号REを識別し得、第1のセットの各基準信号REは、第2のセットの基準信号REに連続している。次いで、UE115-bは、シンボル期間における複数のREを含むREGを識別し得、REGの1つまたは複数のREは、第1のセットの基準信号REまたは第2のセットの基準信号REに連続している。UE115-bは、430においてREGを測定し、435において制御メッセージを復号し得る。
【００５８】
図5は、本開示の1つまたは複数の態様による、バックツーバック基準信号をサポートするワイヤレスデバイス500のブロック図を示す。ワイヤレスデバイス500は、図1および図2を参照しながら説明したUE115または基地局105の態様の一例であり得る。ワイヤレスデバイス500は、受信機505、制御チャネル通信マネージャ510、および送信機515を含み得る。ワイヤレスデバイス500は、プロセッサも含み得る。これらの構成要素の各々は、互いと通信していることがある。
【００５９】
受信機505は、パケット、ユーザデータ、または様々な情報チャネル(たとえば、制御チャネル、データチャネル)に関連付けられた制御情報などの情報、およびバックツーバック基準信号に関する情報などを受信し得る。情報は、デバイスの他の構成要素に渡され得る。受信機505は、図8および図9を参照しながら説明するトランシーバ825または925の態様の一例であり得る。
【００６０】
制御チャネル通信マネージャ510は、シンボル期間における第1のセットの1つまたは複数の基準信号REおよび第2のセットの1つまたは複数の基準信号REを識別し(第1のセットの各基準信号REは、第2のセットの基準信号REに連続している)、シンボル期間におけるREのセットを含むREGを識別し得る(REGの1つまたは複数のREは、第1のセットの基準信号REまたは第2のセットの基準信号REに連続している)。制御チャネル通信マネージャ510はまた、図8および図9を参照しながら説明するUE制御チャネル通信マネージャ805または基地局制御チャネル通信マネージャ905の態様の一例であり得る。
【００６１】
送信機515は、ワイヤレスデバイス500の他の構成要素から受信された信号を送信し得る。いくつかの例では、送信機515は、トランシーバモジュール内の受信機とコロケートされ得る。たとえば、送信機515は、図8および図9を参照しながら説明するトランシーバ825またはトランシーバ925の態様の一例であり得る。送信機515は、単一のアンテナを含み得るか、または複数のアンテナを含み得る。
【００６２】
図6は、本開示の1つまたは複数の態様による、バックツーバック基準信号をサポートするワイヤレスデバイス600のブロック図を示す。ワイヤレスデバイス600は、図1、図2、および図5を参照しながら説明したワイヤレスデバイス500、UE115、または基地局105の態様の一例であり得る。ワイヤレスデバイス600は、受信機605、制御チャネル通信マネージャ610、および送信機625を含み得る。ワイヤレスデバイス600は、プロセッサも含み得る。これらの構成要素の各々は、互いと通信していることがある。
【００６３】
受信機605は、デバイスの他の構成要素に渡され得る情報を受信し得る。受信機605はまた、図5を参照しながら説明した受信機505を参照しながら説明した機能を実行し得る。受信機605は、図8および図9を参照しながら説明するトランシーバ825またはトランシーバ925の態様の一例であり得る。
【００６４】
制御チャネル通信マネージャ610は、図5を参照しながら説明した制御チャネル通信マネージャ510の態様の一例であり得る。制御チャネル通信マネージャ610は、基準信号識別構成要素615およびREG識別構成要素620を含み得る。制御チャネル通信マネージャ610は、図8および図9を参照しながら説明するUE制御チャネル通信マネージャ805または基地局制御チャネル通信マネージャ905の態様の一例であり得る。
【００６５】
基準信号識別構成要素615は、シンボル期間における第1のセットの1つまたは複数の基準信号REおよび第2のセットの1つまたは複数の基準信号REを識別し得、第1のセットの各基準信号REは、第2のセットの基準信号REに連続している。いくつかの場合には、第1のセットの1つまたは複数の基準信号RE、第2のセットの1つまたは複数の基準信号RE、およびREGは、周波数トーンの1つまたは複数のRBを含む。いくつかの場合には、組み合わされた第1のセットの1つまたは複数の基準信号REおよび第2のセットの1つまたは複数の基準信号REは、RBの周波数トーンの2分の1を含む。いくつかの場合には、組み合わされた第1のセットの1つまたは複数の基準信号REおよび第2のセットの1つまたは複数の基準信号REは、RBの周波数トーンの3分の1を含む。いくつかの場合には、シンボル期間はTTIの第1のシンボル期間を含む。REG識別構成要素620は、シンボル期間におけるREのセットを含むREGを識別し得、REGの1つまたは複数のREは、第1のセットの基準信号REのうちの基準信号REまたは第2のセットの基準信号REのうちの基準信号REに連続している。
【００６６】
送信機625は、ワイヤレスデバイス600の他の構成要素から受信された信号を送信し得る。いくつかの例では、送信機625は、トランシーバモジュール内の受信機とコロケートされ得る。たとえば、送信機625は、図8および図9を参照しながら説明するトランシーバ825またはトランシーバ925の態様の一例であり得る。送信機625は、単一のアンテナを利用し得るか、または複数のアンテナを利用し得る。
【００６７】
図7は、本開示の1つまたは複数の態様による、バックツーバック基準信号をサポートする制御チャネル通信マネージャ700のブロック図を示す。制御チャネル通信マネージャ700は、ワイヤレスデバイス500またはワイヤレスデバイス600の対応する構成要素の一例であり得る。すなわち、制御チャネル通信マネージャ700は、図5および図6を参照しながら説明した制御チャネル通信マネージャ510または制御チャネル通信マネージャ610の態様の一例であり得る。制御チャネル通信マネージャ700はまた、図8および図9を参照しながら説明するUE制御チャネル通信マネージャ805または基地局制御チャネル通信マネージャ905の態様の一例であり得る。
【００６８】
制御チャネル通信マネージャ700は、干渉消去協調構成要素705、制御受信構成要素710、基準信号識別構成要素715、干渉消去構成要素720、およびREG識別構成要素725を含み得る。これらのモジュールの各々は、直接または間接的に(たとえば、1つまたは複数のバスを介して)互いと通信し得る。
【００６９】
干渉消去協調構成要素705は、近隣基地局が連続基準信号REに基づいて基準信号構成を使用すると決定し、REGパターンを近隣基地局またはコアネットワークエンティティと協調させ(REGパターンは、異なる基地局からの部分的に重複するREGを妨げる)、REGパターンを近隣基地局またはコアネットワークエンティティと協調させ得る(REGパターンは、2つの基地局が重複するREGを使用する可能性を最小限に抑え、干渉消去は、REGパターンに基づいて実行される)。追加または代替として、干渉消去を実行することは決定に基づく。
【００７０】
制御受信構成要素710は、第1のセットの基準信号REを使用する第1の基準信号、第2のセットの基準信号REを使用する第2の基準信号、およびREGを含むREGのセットを使用する制御メッセージを受信し得る。いくつかの場合には、制御受信構成要素710は、第1のセットの1つまたは複数の基準信号REを使用する第1の基準信号、第2のセットの1つまたは複数の基準信号REを使用する第2の基準信号、およびREGを含むREGのセットを使用する制御メッセージを送信し得る。いくつかの場合には、第1の基準信号は第1のアンテナポートに関連付けられ、第2の基準信号は第2のアンテナポートに関連付けられる。いくつかの場合には、制御メッセージは、SFBCを使用して送信され、SFBCは、制御メッセージのシンボルのセットをSFBCのREペアのセットに分散することに基づき得る。いくつかの場合には、SFBCの各REペアは、第1のセットの基準信号REまたは第2のセットの基準信号REのうちの基準信号REによって分離される。いくつかの場合には、REペアのセットのうちの各REペアのREは連続している。
【００７１】
基準信号識別構成要素715は、シンボル期間における第1のセットの1つまたは複数の基準信号REおよび第2のセットの1つまたは複数の基準信号REを識別し得、第1のセットの各基準信号REは、第2のセットの基準信号REに連続している。いくつかの場合には、第1のセットの1つまたは複数の基準信号RE、第2のセットの1つまたは複数の基準信号RE、およびREGは、周波数トーンの1つまたは複数のRBを含む。いくつかの場合には、組み合わされた第1のセットの1つまたは複数の基準信号REおよび第2のセットの1つまたは複数の基準信号REは、RBの周波数トーンの2分の1を含む。いくつかの場合には、組み合わされた第1のセットの1つまたは複数の基準信号REおよび第2のセットの1つまたは複数の基準信号REは、RBの周波数トーンの3分の1を含む。いくつかの場合には、シンボル期間はTTIの第1のシンボル期間を含む。
【００７２】
干渉消去構成要素720は、1つまたは複数のREGの各々について干渉共分散行列を計算し、REGのセットのうちの1つまたは複数のREGについて干渉消去を実行し得、干渉消去は、干渉共分散行列に基づいて実行される。REG識別構成要素725は、シンボル期間におけるREのセットを含むREGを識別し得、REGの1つまたは複数のREは、第1のセットの基準信号REまたは第2のセットの基準信号REに連続している。
【００７３】
図8は、本開示の1つまたは複数の態様による、バックツーバック基準信号をサポートするデバイスを含むシステム800の図を示す。たとえば、システム800は、図1、図2、および図5〜図7を参照しながら説明したワイヤレスデバイス500、ワイヤレスデバイス600、またはUE115の一例であり得るUE115-cを含み得る。
【００７４】
UE115-cはまた、UE制御チャネル通信マネージャ805、メモリ810、プロセッサ820、トランシーバ825、アンテナ830、およびECCモジュール835を含み得る。これらのモジュールの各々は、直接または間接的に(たとえば、1つまたは複数のバスを介して)互いと通信し得る。UE制御チャネル通信マネージャ805は、図5〜図7を参照しながら説明した制御チャネル通信マネージャの一例であり得る。
【００７５】
メモリ810は、ランダムアクセスメモリ(RAM)および読取り専用メモリ(ROM)を含み得る。メモリ810は、実行されると、本明細書で説明する様々な機能(たとえば、バックツーバック基準信号など)をプロセッサに実行させる命令を含むコンピュータ可読、コンピュータ実行可能ソフトウェアを記憶し得る。いくつかの場合には、ソフトウェア815は、プロセッサによって直接実行可能ではない場合があるが、(たとえば、コンパイルされ、実行されると)本明細書で説明する機能をコンピュータに実行させ得る。プロセッサ820は、インテリジェントハードウェアデバイス(たとえば、中央処理装置(CPU)、マイクロコントローラ、特定用途向け集積回路(ASIC)など)を含み得る。
【００７６】
トランシーバ825は、上記で説明したように、1つまたは複数のアンテナ、ワイヤードリンクまたはワイヤレスリンクを介して、1つまたは複数のネットワークと双方向に通信し得る。たとえば、トランシーバ825は、基地局105またはUE115と双方向に通信し得る。トランシーバ825は、パケットを変調し、変調されたパケットを送信のためにアンテナに与え、アンテナから受信されたパケットを復調するためのモデムも含み得る。いくつかの場合には、ワイヤレスデバイスは、単一のアンテナ830を含み得る。しかしながら、いくつかの場合には、デバイスは、複数のワイヤレス送信を同時に送信または受信することが可能であり得る2つ以上のアンテナ830を有し得る。ECCモジュール835は、共有スペクトルもしくは無認可スペクトルを使用する、縮小されたTTIもしくはサブフレーム持続時間を使用する、または多数のCCを使用する通信などの、eCCを使用する動作を可能にし得る。
【００７７】
図9は、本開示の1つまたは複数の態様による、バックツーバック基準信号をサポートするデバイスを含むワイヤレスシステム900の図を示す。たとえば、システム900は、図1、図2、および図5〜図7を参照しながら説明したワイヤレスデバイス500、ワイヤレスデバイス600、または基地局105の一例であり得る基地局105-fを含み得る。基地局105-fは、通信を送信するための構成要素および通信を受信するための構成要素を含む、双方向音声およびデータ通信のための構成要素も含み得る。たとえば、基地局105-fは、1つまたは複数のUE115と双方向に通信し得る。
【００７８】
基地局105-fは、基地局制御チャネル通信マネージャ905、メモリ910、プロセッサ920、トランシーバ925、アンテナ930、基地局通信モジュール935、およびネットワーク通信モジュール940も含み得る。これらのモジュールの各々は、直接または間接的に(たとえば、1つまたは複数のバスを介して)互いと通信し得る。基地局制御チャネル通信マネージャ905は、図5〜図7を参照しながら説明した制御チャネル通信マネージャの一例であり得る。
【００７９】
メモリ910は、RAMおよびROMを含み得る。メモリ910は、実行されると、本明細書で説明する様々な機能(たとえば、バックツーバック基準信号など)をプロセッサに実行させる命令を含むコンピュータ可読、コンピュータ実行可能ソフトウェアを記憶し得る。いくつかの場合には、ソフトウェア915は、プロセッサによって直接実行可能ではないことがあるが、(たとえば、コンパイルされ、実行されると)本明細書で説明する機能をコンピュータに実行させ得る。プロセッサ920は、インテリジェントハードウェアデバイス(たとえば、CPU、マイクロコントローラ、ASICなど)を含み得る。
【００８０】
トランシーバ925は、上記で説明したように、1つまたは複数のアンテナ、ワイヤードリンクまたはワイヤレスリンクを介して、1つまたは複数のネットワークと双方向に通信し得る。たとえば、トランシーバ925は、基地局105またはUE115と双方向に通信し得る。トランシーバ925は、パケットを変調し、変調されたパケットを送信のためにアンテナに与え、アンテナから受信されたパケットを復調するためのモデムも含み得る。いくつかの場合には、ワイヤレスデバイスは、単一のアンテナ930を含み得る。しかしながら、いくつかの場合には、デバイスは、複数のワイヤレス送信を同時に送信または受信することが可能であり得る2つ以上のアンテナ830を有し得る。
【００８１】
基地局通信モジュール935は、他の基地局105との通信を管理し得、他の基地局105と協調してUE115との通信を制御するためのコントローラまたはスケジューラを含み得る。たとえば、基地局通信モジュール935は、ビームフォーミングまたはジョイント送信などの様々な干渉緩和技法のために、UE115への送信のためのスケジューリングを協調させ得る。いくつかの例では、基地局通信モジュール935は、基地局105間の通信を行うために、LTE/LTE-Aワイヤレス通信ネットワーク技術内のX2インターフェースを提供し得る。ネットワーク通信モジュール940は、(たとえば、1つまたは複数のワイヤードバックホールリンクを介して)コアネットワークとの通信を管理し得る。たとえば、ネットワーク通信モジュール940は、1つまたは複数のUE115などのクライアントデバイスのためのデータ通信の転送を管理し得る。
【００８２】
図10は、本開示の1つまたは複数の態様による、バックツーバック基準信号のための方法1000を示すフローチャートを示す。方法1000の動作は、図1および図2を参照しながら説明したUE115または基地局105などのデバイス、またはその構成要素によって実装され得る。たとえば、方法1000の動作は、本明細書で説明するように、制御チャネル通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【００８３】
ブロック1005において、UE115または基地局105は、シンボル期間における第1のセットの1つまたは複数の基準信号REおよび第2のセットの1つまたは複数の基準信号REを識別し得る。いくつかの場合には、第1のセットの各基準信号REは、図2〜図4を参照しながら上記で説明したように、第2のセットの基準信号REに連続していることがある。いくつかの例では、ブロック1005の動作は、図6および図7を参照しながら説明したように、基準信号識別構成要素によって実行され得る。
【００８４】
ブロック1010において、UE115または基地局105は、シンボル期間におけるREのセットを含むREGを識別し得る。いくつかの場合には、REGの1つまたは複数のREは、図2〜図4を参照しながら上記で説明したように、第1のセットの基準信号REまたは第2のセットの基準信号REに連続していることがある。いくつかの例では、ブロック1010の動作は、図6および図7を参照しながら説明したように、REG識別構成要素によって実行され得る。
【００８５】
図11は、本開示の1つまたは複数の態様による、バックツーバック基準信号のための方法1100を示すフローチャートを示す。方法1100の動作は、図1および図2を参照しながら説明したUE115または基地局105などのデバイス、またはその構成要素によって実装され得る。たとえば、方法1100の動作は、本明細書で説明するように、制御チャネル通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【００８６】
ブロック1105において、UE115または基地局105は、シンボル期間における第1のセットの1つまたは複数の基準信号REおよび第2のセットの1つまたは複数の基準信号REを識別し得る。いくつかの例では、第1のセットの各基準信号REは、図2〜図4を参照しながら上記で説明したように、第2のセットの基準信号REに連続していることがある。いくつかの例では、ブロック1105の動作は、図6および図7を参照しながら説明したように、基準信号識別構成要素によって実行され得る。
【００８７】
ブロック1110において、UE115または基地局105は、シンボル期間におけるREのセットを含むREGを識別し得る。いくつかの場合には、REGの1つまたは複数のREは、図2〜図4を参照しながら上記で説明したように、第1のセットの基準信号REまたは第2のセットの基準信号REに連続していることがある。いくつかの例では、ブロック1110の動作は、図6および図7を参照しながら説明したように、REG識別構成要素によって実行され得る。
【００８８】
ブロック1115において、UE115または基地局105は、図2〜図4を参照しながら上記で説明したように、第1のセットの1つまたは複数の基準信号REを使用する第1の基準信号、第2のセットの1つまたは複数の基準信号REを使用する第2の基準信号、およびREGを含むREGのセットを使用する制御メッセージを送信し得る。いくつかの例では、ブロック1115の動作は、図6および図7を参照しながら説明したように、制御受信構成要素によって実行され得る。
【００８９】
図12は、本開示の1つまたは複数の態様による、バックツーバック基準信号のための方法1200を示すフローチャートを示す。方法1200の動作は、図1および図2を参照しながら説明したUE115または基地局105などのデバイス、またはその構成要素によって実装され得る。たとえば、方法1200の動作は、本明細書で説明するように、制御チャネル通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【００９０】
ブロック1205において、UE115または基地局105は、シンボル期間における第1のセットの1つまたは複数の基準信号REおよび第2のセットの1つまたは複数の基準信号REを識別し得る。いくつかの場合には、第1のセットの各基準信号REは、図2〜図4を参照しながら上記で説明したように、第2のセットの基準信号REに連続していることがある。いくつかの例では、ブロック1205の動作は、図6および図7を参照しながら説明したように、基準信号識別構成要素によって実行され得る。
【００９１】
ブロック1210において、UE115または基地局105は、シンボル期間におけるREのセットを含むREGを識別し得る。いくつかの例では、REGの1つまたは複数のREは、図2〜図4を参照しながら上記で説明したように、第1のセットの基準信号REまたは第2のセットの基準信号REに連続している。いくつかの例では、ブロック1210の動作は、図6および図7を参照しながら説明したように、REG識別構成要素によって実行され得る。
【００９２】
ブロック1215において、UE115または基地局105は、図2〜図4を参照しながら上記で説明したように、REGを含むREGのセットのうちの1つまたは複数のREGについて干渉消去を実行し得る。いくつかの例では、ブロック1215の動作は、図6および図7を参照しながら説明したように、干渉消去構成要素によって実行され得る。
【００９３】
ブロック1220において、UE115または基地局105は、図2〜図4を参照しながら上記で説明したように、第1のセットの1つまたは複数の基準信号REを使用する第1の基準信号、第2のセットの1つまたは複数の基準信号REを使用する第2の基準信号、およびREGを含むREGのセットを使用する制御メッセージを送信し得る。いくつかの例では、ブロック1220の動作は、図6および図7を参照しながら説明したように、制御受信構成要素によって実行され得る。
【００９４】
図13は、本開示の1つまたは複数の態様による、バックツーバック基準信号のための方法1300を示すフローチャートを示す。方法1300の動作は、図1および図2を参照しながら説明したUE115または基地局105などのデバイス、またはその構成要素によって実装され得る。たとえば、方法1300の動作は、本明細書で説明するように、制御チャネル通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【００９５】
ブロック1305において、UE115または基地局105は、シンボル期間における第1のセットの1つまたは複数の基準信号REおよび第2のセットの1つまたは複数の基準信号REを識別し得る。いくつかの場合には、第1のセットの各基準信号REは、図2〜図4を参照しながら上記で説明したように、第2のセットの基準信号REに連続していることがある。いくつかの例では、ブロック1305の動作は、図6および図7を参照しながら説明したように、基準信号識別構成要素によって実行され得る。
【００９６】
ブロック1310において、UE115または基地局105は、シンボル期間におけるREのセットを含むREGを識別し得る。いくつかの例では、REGの1つまたは複数のREは、図2〜図4を参照しながら上記で説明したように、第1のセットの基準信号REまたは第2のセットの基準信号REに連続している。いくつかの例では、ブロック1310の動作は、図6および図7を参照しながら説明したように、REG識別構成要素によって実行され得る。
【００９７】
ブロック1315において、UE115および基地局105は、図2〜図4を参照しながら上記で説明したように、近隣基地局が連続基準信号REに基づいて基準信号構成を使用すると決定し得る。いくつかの例では、ブロック1315の動作は、図6および図7を参照しながら説明したように、干渉消去協調構成要素によって実行され得る。
【００９８】
ブロック1320において、UE115または基地局105は、図2〜図4を参照しながら上記で説明したように、REGパターンを近隣基地局またはコアネットワークエンティティと協調させ得、REGパターンは、異なる基地局からの部分的に重複するREGを妨げる。いくつかの例では、ブロック1320の動作は、図6および図7を参照しながら説明したように、干渉消去協調構成要素によって実行され得る。
【００９９】
ブロック1325において、UE115または基地局105は、図2〜図4を参照しながら上記で説明したように、REGを含むREGのセットのうちの1つまたは複数のREGについて干渉消去を実行し得る。いくつかの例では、干渉消去を実行することは決定に基づき得る。追加または代替として、干渉消去はREGパターンに基づいて実行され得る。いくつかの例では、ブロック1325の動作は、図6および図7を参照しながら説明したように、干渉消去構成要素によって実行され得る。
【０１００】
ブロック1330において、UE115または基地局105は、図2〜図4を参照しながら上記で説明したように、第1のセットの1つまたは複数の基準信号REを使用する第1の基準信号、第2のセットの1つまたは複数の基準信号REを使用する第2の基準信号、およびREGを含むREGのセットを使用する制御メッセージを送信し得る。いくつかの例では、ブロック1330の動作は、図6および図7を参照しながら説明したように、制御受信構成要素によって実行され得る。
【０１０１】
図14は、本開示の1つまたは複数の態様による、バックツーバック基準信号のための方法1400を示すフローチャートを示す。方法1400の動作は、図1および図2を参照しながら説明したUE115または基地局105などのデバイス、またはその構成要素によって実装され得る。たとえば、方法1400の動作は、本明細書で説明するように、制御チャネル通信マネージャによって実行され得る。いくつかの例では、UE115または基地局105は、以下で説明する機能を実行するようにデバイスの機能要素を制御するためのコードのセットを実行し得る。追加または代替として、UE115または基地局105は、専用ハードウェアを使用して以下で説明する機能の態様を実行し得る。
【０１０２】
ブロック1405において、UE115または基地局105は、シンボル期間における第1のセットの1つまたは複数の基準信号REおよび第2のセットの1つまたは複数の基準信号REを識別し得る。いくつかの例では、第1のセットの各基準信号REは、図2〜図4を参照しながら上記で説明したように、第2のセットの基準信号REに連続していることがある。いくつかの例では、ブロック1405の動作は、図6および図7を参照しながら説明したように、基準信号識別構成要素によって実行され得る。
【０１０３】
ブロック1410において、UE115または基地局105は、シンボル期間におけるREのセットを含むREGを識別し得る。いくつかの場合には、REGの1つまたは複数のREは、図2〜図4を参照しながら上記で説明したように、第1のセットの基準信号REまたは第2のセットの基準信号REに連続していることがある。いくつかの例では、ブロック1410の動作は、図6および図7を参照しながら説明したように、REG識別構成要素によって実行され得る。
【０１０４】
ブロック1415において、UE115または基地局105は、図2〜図4を参照しながら上記で説明したように、第1のセットの基準信号REを使用する第1の基準信号、第2のセットの基準信号REを使用する第2の基準信号、およびREGを含むREGのセットを使用する制御メッセージを受信し得る。いくつかの例では、ブロック1415の動作は、図6および図7を参照しながら説明したように、制御受信構成要素によって実行され得る。
【０１０５】
これらの方法は可能な実装形態について説明しており、動作は、他の実装形態が可能であるように再構成され得るかまたは場合によっては変更され得ることに留意されたい。いくつかの例では、方法のうちの2つ以上からの態様が組み合わされ得る。たとえば、方法の各々の態様は、その他の方法の動作もしくは態様、または本明細書で説明する他の動作もしくは技法を含み得る。したがって、本開示の態様は、バックツーバック基準信号を提供し得る。
【０１０６】
本明細書における説明は、当業者が本開示を作成または使用することを可能にするために与えられる。本開示の様々な変更は、当業者に容易に明らかになり、本明細書で定義する一般原理は、本開示の範囲を逸脱することなく他の変形形態に適用され得る。したがって、本開示は、本明細書で説明する例および設計に限定されるべきではなく、本明細書で開示する原理および新規の特徴と一致する最も広い範囲を与えられるべきである。
【０１０７】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装される場合、機能は、1つまたは複数の命令またはコードとしてコンピュータ可読媒体上に記憶されるか、またはコンピュータ可読媒体を介して送信され得る。他の例および実装形態は、本開示および添付の特許請求の範囲の範囲および趣旨内にある。たとえば、ソフトウェアの性質により、上記で説明した機能は、プロセッサによって実行されるソフトウェア、ハードウェア、ファームウェア、ハードワイヤリング、またはこれらのいずれかの組合せを使用して実装され得る。機能を実装する特徴は、機能の部分が異なる物理的ロケーションにおいて実装されるように分散されることを含めて、様々な位置に物理的に位置し得る。特許請求の範囲を含めて本明細書で使用する場合、「および/または」という用語は、2つ以上の項目のリストにおいて使用されるとき、列挙された項目のうちのいずれか1つが単独で採用されてもよく、または列挙された項目のうちの2つ以上の任意の組合せが採用されてもよいことを意味する。たとえば、組成物が構成要素A、B、および/またはCを含むものとして説明される場合、組成物は、Aのみ、Bのみ、Cのみ、AとBの組合せ、AとCの組合せ、BとCの組合せ、またはAとBとCの組合せを含むことができる。また、特許請求の範囲を含めて本明細書で使用する場合、項目のリスト(たとえば、「のうちの少なくとも1つ」または「のうちの1つまたは複数」などの句で終わる項目のリスト)において使用される「または」は、たとえば、項目のリスト「のうちの1つまたは複数」を指す句が単一のメンバーを含むそれらの項目の任意の組合せを指すような包括的リストを示す。一例として、「A、B、またはCのうちの少なくとも1つ」は、A、B、C、A-B、A-C、B-C、およびA-B-C、ならびに複数の同じ要素を有する任意の組合せ(たとえば、A-A、A-A-A、A-A-B、A-A-C、A-B-B、A-C-C、B-B、B-B-B、B-B-C、C-C、およびC-C-C、または任意の他の順序のA、B、およびC)を包含するものとする。
【０１０８】
本明細書で使用する「に基づいて」という句は、条件の閉集合を指すものと解釈されるべきではない。たとえば、「条件Aに基づいて」として説明される例示的な動作は、本開示の範囲から逸脱することなく、条件Aと条件Bの両方に基づいてもよい。言い換えれば、本明細書で使用する「に基づいて」という句は、「に少なくとも部分的に基づいて」という句と同じように解釈されるべきである。
【０１０９】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用または専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザーを用いてデータを光学的に再生する。上記の組合せもコンピュータ可読媒体の範囲内に含まれる。
【０１１０】
本明細書で説明する技法は、CDMA、TDMA、FDMA、OFDMA、シングルキャリア周波数分割多元接続(SC-FDMA)、および他のシステムなどの様々なワイヤレス通信システムに使用され得る。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(ワイヤレスフィデリティ(Wi-Fi))、IEEE802.16(WiMAX)、IEEE802.20、Flash-OFDMなどの無線技術を実装し得る。UTRAおよびE-UTRAは、ユニバーサルモバイルテレコミュニケーションシステム(UMTS)の一部である。3GPP LTEおよびLTE-Aは、E-UTRAを使用するUMTSの新しいリリースである。UTRA、E-UTRA、UMTS、LTE、LTE-A、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明する技法は、上述のシステムおよび無線技術、ならびに他のシステムおよび無線技術に使用され得る。しかしながら、本明細書における説明は、例としてLTEシステムについて説明し、上記の説明の大部分においてLTE用語が使用されるが、本技法はLTE適用例以外に適用可能である。
【０１１１】
本明細書で説明するネットワークを含むLTE/LTE-Aネットワークでは、発展型ノードB(eNB)という用語は、概して、基地局を表すために使用され得る。本明細書で説明する1つまたは複数のワイヤレス通信システムは、異なるタイプのeNBが様々な地理的領域にカバレージを提供する異種LTE/LTE-Aネットワークを含み得る。たとえば、各eNBまたは基地局は、マクロセル、スモールセル、または他のタイプのセルに通信カバレージを提供し得る。「セル」という用語は、文脈に応じて、基地局、基地局に関連付けられたキャリアもしくはCC、またはキャリアもしくは基地局のカバレージエリア(たとえば、セクタなど)を表すために使用され得る3GPP用語である。
【０１１２】
基地局は、基地トランシーバ局、無線基地局、アクセスポイント(AP)、無線トランシーバ、ノードB、eノードB(eNB)、ホームノードB、ホームeノードB、または何らかの他の適切な用語を含み得るか、あるいは当業者によってそのように呼ばれることがある。基地局のための地理的カバレージエリアは、カバレージエリアの一部分のみを構成するセクタに分割され得る。本明細書で説明する1つまたは複数のワイヤレス通信システムは、異なるタイプの基地局(たとえば、マクロセル基地局またはスモールセル基地局)を含み得る。本明細書で説明するUEは、マクロeNB、スモールセルeNB、中継基地局などを含む、様々なタイプの基地局およびネットワーク機器と通信することが可能であり得る。異なる技術のための重複する地理的カバレージエリアがあり得る。いくつかの場合には、異なるカバレージエリアは、異なる通信技術に関連付けられ得る。いくつかの場合には、ある通信技術のためのカバレージエリアは、別の技術に関連付けられたカバレージエリアと重複することがある。異なる技術は、同じ基地局に関連付けられるか、または異なる基地局に関連付けられることがある。
【０１１３】
マクロセルは、一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、マクロセルと同じまたは異なる(たとえば、認可、無認可など)周波数帯域で動作し得る低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているUEによる無制限アクセスを可能にし得る。フェムトセルも、小さい地理的エリア(たとえば、自宅)をカバーし得、フェムトセルとの関連を有するUE(たとえば、限定加入者グループ(CSG)内のUE、自宅内のユーザのためのUEなど)による制限付きアクセスを提供し得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、CC)をサポートし得る。UEは、マクロeNB、スモールセルeNB、中継基地局などを含む、様々なタイプの基地局およびネットワーク機器と通信することが可能であり得る。
【０１１４】
本明細書で説明する1つまたは複数のワイヤレス通信システムは、同期動作または非同期動作をサポートし得る。同期動作の場合、基地局は同様のフレームタイミングを有し得、異なる基地局からの送信は、時間的にほぼ整合され得る。非同期動作の場合、基地局は異なるフレームタイミングを有し得、異なる基地局からの送信は時間的に整合されないことがある。本明細書で説明する技法は、同期動作または非同期動作のいずれかに使用され得る。
【０１１５】
本明細書で説明するDL送信は、順方向リンク送信と呼ばれることもあり、UL送信は、逆方向リンク送信と呼ばれることもある。たとえば、図1および図2のワイヤレス通信システム100および200を含む、本明細書で説明する各通信リンクは、1つまたは複数のキャリアを含み得、各キャリアは、複数のサブキャリア(たとえば、異なる周波数の波形信号)から構成される信号であり得る。各被変調信号は、異なるサブキャリア上で送られ得、制御情報(たとえば、基準信号、制御チャネルなど)、オーバーヘッド情報、ユーザデータなどを搬送し得る。本明細書で説明する通信リンク(たとえば、図1の通信リンク125)は、(たとえば、対スペクトルリソースを使用する)周波数分割複信(FDD)動作または(たとえば、不対スペクトルリソースを使用する)TDD動作を使用して双方向通信を送信し得る。FDD(たとえば、フレーム構造タイプ1)およびTDD(たとえば、フレーム構造タイプ2)のためのフレーム構造が定義され得る。
【０１１６】
したがって、本開示の態様は、バックツーバック基準信号を提供し得る。これらの方法は可能な実装形態について説明しており、動作は、他の実装形態が可能であるように再構成され得るかまたは場合によっては変更され得ることに留意されたい。いくつかの例では、方法のうちの2つ以上からの態様が組み合わされ得る。
【０１１７】
本明細書の本開示に関して説明する様々な例示的なブロックおよびモジュールは、汎用プロセッサ、デジタル信号プロセッサ(DSP)、ASIC、フィールドプログラマブルゲートアレイ(FPGA)もしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサの組合せ、複数のマイクロプロセッサ、DSPコアと連携する1つもしくは複数のマイクロプロセッサ、または任意の他のそのような構成)として実装され得る。したがって、本明細書で説明する機能は、1つまたは複数の他の処理ユニット(またはコア)によって、少なくとも1つの集積回路(IC)上で実行され得る。様々な例では、当技術分野で知られている任意の様式でプログラムされ得る異なるタイプのIC(たとえば、ストラクチャード/プラットフォームASIC、FPGA、または別のセミカスタムIC)が使用され得る。各ユニットの機能はまた、全体的にまたは部分的に、1つまたは複数の汎用プロセッサまたは特定用途向けプロセッサによって実行されるようにフォーマットされた、メモリにおいて具現化された命令を用いて実装され得る。
【０１１８】
添付の図では、同様の構成要素または特徴は、同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書において使用される場合、その説明は、第2の参照ラベルにかかわらず、同じ第1の参照ラベルを有する同様の構成要素のいずれにも適用可能である。
【符号の説明】
【０１１９】
100、200  ワイヤレス通信システム
101、201、905  基地局制御チャネル通信マネージャ
102、202、805  UE制御チャネル通信マネージャ
105  ネットワークアクセスデバイス、基地局、近隣基地局
105-a  eNB、基地局
105-b  アクセスノードコントローラ(ANC)、ANC
105-c  スマート無線ヘッド、無線ヘッド、基地局
105-d、105-f  基地局
110  地理的カバレージエリア
115、115-a、115-b、115-c  UE
125  通信リンク
130  コアネットワーク
132、134  バックホールリンク
205  ワイヤレスリンク
301、302  制御チャネル構成
305、305-a、305-b、305-c、305-d、305-e、305-f  制御領域
310  シンボル期間、第1のシンボル期間
310-a、310-b  シンボル期間
315、315-a、315-b  REペア
320、320-a、320-b  REG
325、325-a、325-b  ポート1基準信号
330、330-a、330-b  ポート2基準信号
400  プロセスフロー
500、600  ワイヤレスデバイス
505、605  受信機
510、610、700  制御チャネル通信マネージャ
515、625  送信機
615、715  基準信号識別構成要素
620、725  REG識別構成要素
705  干渉消去協調構成要素
710  制御受信構成要素
720  干渉消去構成要素
800  システム
810、910  メモリ
815、915  ソフトウェア
820、920  プロセッサ
825、925  トランシーバ
830、930  アンテナ
835  ECCモジュール
900  ワイヤレスシステム、システム
935  基地局通信モジュール
940  ネットワーク通信モジュール
1000、1100、1200、1300、1400  方法
【図１】
2019504525.tif 000003
【図２】
2019504525.tif 000004
【図３Ａ】
2019504525.tif 000005
【図３Ｂ】
2019504525.tif 000006
【図４】
2019504525.tif 000007
【図５】
2019504525.tif 000008
【図６】
2019504525.tif 000009
【図７】
2019504525.tif 000010
【図８】
2019504525.tif 000011
【図９】
2019504525.tif 000012
【図１０】
2019504525.tif 000013
【図１１】
2019504525.tif 000014
【図１２】
2019504525.tif 000015
【図１３】
2019504525.tif 000016
【図１４】
2019504525.tif 000017
【国際調査報告】
2019504525.tif 000018
2019504525.tif 000019
2019504525.tif 000020